(57)【要約】本発明は、直交周波数分割多重システム中の少なくとも１つの副搬送波のサブグループに細分化された副搬送波グループのチャネル品質を報告するチャネル品質インジケータをユーザ端末（Ｔ１〜Ｔ４）から基地局（ＢＳ１〜ＢＳ８）に送信する方法であって、チャネル品質インジケータが、チャネル品質の次報告中の副搬送波グループのサブグループへの細分化を定義する情報（ＲＩ、ＲＤ）を含み、チャネル品質の次報告中の前記サブグループのチャネル品質情報ＱＩが、基地局（ＢＳ１〜ＢＳ８）、ユーザ端末（Ｔ１〜Ｔ４）およびネットワークＣＮに対するチャネル品質の次報告中のチャネル品質インジケータに備わっている。
2009539288.tif 000002
【特許請求の範囲】
【請求項１】
直交周波数分割多重システム中の少なくとも１つの副搬送波のサブグループに細分化された副搬送波グループのチャネル品質を報告するチャネル品質インジケータをユーザ端末（Ｔ１〜Ｔ４）から基地局（ＢＳ１〜ＢＳ８）に送信する方法において、
チャネル品質インジケータが、チャネル品質の次報告中の前記副搬送波グループのサブグループへの細分化を定義する情報（ＲＩ、ＲＤ）を備え、
チャネル品質の前記次報告中の前記サブグループのためのチャネル品質情報ＱＩが、チャネル品質の前記次報告中のチャネル品質インジケータに備わることを特徴とする方法。
【請求項２】
前記細分化を定義する前記情報ＲＩが、チャネル品質の前記次報告中のサブグループの数を含むことを特徴とする、請求項１に記載の方法。
【請求項３】
前記細分化を定義する前記情報ＲＤが、前記副搬送波グループの少なくとも１部分のどれがチャネル品質の前記次報告で細分化されるかを定義することを特徴とする、請求項１に記載の方法。
【請求項４】
チャネル品質インジケータがチャネル品質の前記次報告中のサブグループへの細分化を告知しない場合は、前記細分化を定義する情報（ＲＩ、ＲＤ）の代わりに、追加のチャネル品質情報ＱＩが送信されることを特徴とする、請求項１に記載の方法。
【請求項５】
前記チャネル品質情報ＱＩが、適用可能な変調方式に関する情報を含むことを特徴とする、請求項１に記載の方法。
【請求項６】
前記細分化を定義する前記情報（ＲＩ、ＲＤ）が、前記ユーザ端末（Ｔ１〜Ｔ４）の移動性または前記副搬送波グループの使用可能帯域帯に基づくことを特徴とする、請求項１に記載の方法。
【請求項７】
少なくとも１つの副搬送波のサブグループに細分化された少なくとも１つの副搬送波グループを備える直交周波数分割多重システム中で使用するユーザ端末（Ｔ１〜Ｔ４）において、前記ユーザ端末が、少なくとも１つの処理手段であって、
前記少なくとも１つの副搬送波グループの少なくとも１つをチャネル品質の前記次報告中でサブグループにする前記細分化を定義する情報（ＲＩ、ＲＤ）を備える、チャネル品質報告中のチャネル品質インジケータの送信を行うようになされ、
チャネル品質の前記次報告中の前記サブグループのチャネル品質情報ＱＩを備える、チャネル品質の前記次報告中のチャネル品質インジケータの送信を行うようになされた処理手段を備えることを特徴とするユーザ端末。
【請求項８】
少なくとも１つの副搬送波のサブグループに細分化された少なくとも１つの副搬送波グループを備える直交周波数分割多重システム中の基地局（ＢＳ１〜ＢＳ８）において、前記基地局が少なくとも１つの処理手段であって、
前記少なくとも１つの副搬送波グループの少なくとも１つをチャネル品質の次報告中でサブグループにする細分化を定義する情報（ＲＩ、ＲＤ）を備える、チャネル品質報告中のチャネル品質インジケータの受信を行うようになされ、
チャネル品質の前記次報告中の前記サブグループのチャネル品質情報ＱＩを備える、チャネル品質の前記次報告中のチャネル品質インジケータの受信を行うようになされ、
前記チャネル品質インジケータに基づく無線リソースの分配を行うようになされた処理手段を備えることを特徴とする基地局。
【請求項９】
少なくとも１つの副搬送波のサブグループに細分化された少なくとも１つの副搬送波グループを備える直交周波数分割多重送信を使用するネットワークＣＮにおいて、前記ネットワークＣＮが、
前記少なくとも１つの副搬送波グループの少なくとも１つをチャネル品質の次報告中でサブグループにする、細分化を定義する情報（ＲＩ、ＲＤ）を備える、チャネル品質報告中のチャネル品質インジケータの送信を行うようになされ、チャネル品質の前記次報告中の前記サブグループのチャネル品質情報ＱＩを備える、チャネル品質の前記次報告中のチャネル品質インジケータの送信を行うようになされた少なくとも１つの処理手段を備える、少なくとも１つのユーザ端末（Ｔ１〜Ｔ４）と、
前記少なくとも１つの副搬送波グループの１つをチャネル品質の前記次報告中でサブグループにする前記細分化を定義する情報（ＲＩ、ＲＤ）を備える、チャネル品質報告中のチャネル品質インジケータの受信を行うようになされ、チャネル品質の前記次報告中の前記サブグループのチャネル品質情報ＱＩを備える、チャネル品質の前記次報告中のチャネル品質インジケータの受信を行うようになされ、前記チャネル品質インジケータに基づく無線リソースの分配を行うようになされた、少なくとも１つの処理手段を備える、少なくとも１つの基地局（ＢＳ１〜ＢＳ８）とを備えることを特徴とするネットワーク。
【発明の詳細な説明】
【技術分野】
【０００１】
本発明は、チャネル品質インジケータＣＱＩを請求項１のプリアンブルによる直交周波数分割多重ＯＦＤＭシステム、請求項７のプリアンブルによるユーザ端末、請求項８のプリアンブルによる基地局、および請求項９のプリアンブルによるネットワークで送信する方法に関する。
【背景技術】
【０００２】
直交周波数分割多重ＯＦＤＭ無線システムは、現在、例えば「Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）」、「ＷｉＦｉ  ｓｔａｎｄａｒｄ  ＩＥＥＥ  ８０２．１１」または「ＷｉＭａｘ  ｓｔａｎｄａｒｄ  ＩＥＥＥ  ８０２．１６」などの多くの場で論議されている。
【０００３】
ＯＦＤＭは、マルチ搬送波変調技法である。データは、多数の密集した副搬送波の間で分割される。ビット・ストリームのいくつかのビットは、例えばＱＰＳＫ（ＱＰＳＫ＝四位相偏移変調）、１６−ＱＡＭまたは６４−ＱＡＭ（ＱＡＭ＝四位相振幅変調）によって複合振幅を変調することにより、１つの副搬送波上にマッピングされる。
【０００４】
適応変調、副搬送波割当などの周波数選択性リソース割当アルゴリズムおよび出力制御は、ＯＦＤＭのダウンリンク・システムの性能を拡張しうる。周波数選択性スケジューリング・アルゴリズムを備えるそのようなＯＦＤＭに基づくシステムにおいて、基地局は、チャネル品質についての充分な情報を必要とする。ユーザ端末から基地局に報告されるチャネル条件に従って、リソースは、最大スループットを達成するように最適に分配することができる。したがって、ユーザ端末は、例えば信号対妨害比ＳＩＲの形態で、または経路損失測定の形態で、いくつかの定義済み副搬送波または副搬送波のグループで、チャネル条件を測定しなければならない。チャネル条件に関する情報は、ユーザ端末から基地局にフィードバック・チャネルを介して送信される。
【０００５】
無線リソースが乏しいために、品質測定のフィードバックに使用される帯域幅は、制限されなければならない。
【０００６】
欧州特許出願第ＥＰ１５３３９６６Ａ２号において、副搬送波のチャネル品質情報の送受信の方法が開示されており、それによって副搬送波は、チャネル品質インジケータが生成されて送信される副搬送波グループに組分けされる。
【０００７】
米国特許出願第ＵＳ２００６／００３４２４４Ａｌ号では、すべてのサブチャネルが複数のグループに分けられ、チャネル品質インジケータが、各グループ用に生成され、通信パラメータが、チャネル品質インジケータに従って調整される。本米国特許出願は、最も近接した従来技術であるとみなせる。
【０００８】
従来のフィードバック方式は、チャネル品質報告が、定義済みのやり方でなされるという意味でかなり固定的な挙動を備え、これはチャネル条件またはユーザ端末特性の変動に対処するには適さない。
【０００９】
したがって、こうしたチャネル品質報告は、無線チャネルの変動および、それについて品質レベルが報告されるリソース・ブロックの妥当な粒度を考慮しなければならない。そのために、報告方式は、例えばユーザ端末の移動性および移動無線チャネルの使用可能な帯域幅に適合できなければならない。
【先行技術文献】
【特許文献】
【００１０】
欧州特許出願第ＥＰ  １５３３９６６  Ａ２号
米国特許出願第ＵＳ  ２００６／００３４２４４  Ａ１号
【非特許文献】
【００１１】
Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ  （３ＧＰＰ  ＬＴＥ）
Ｔｈｅ  ＷｉＦｉ  ｓｔａｎｄａｒｄ  ＩＥＥＥ  ８０２．１１
Ｔｈｅ  ＷｉＭａｘ  ｓｔａｎｄａｒｄ  ＩＥＥＥ  ８０２．１６
【発明の概要】
【発明が解決しようとする課題】
【００１２】
したがって本発明の目的は、無線チャネルの変動と、その品質レベルが報告される周波数ブロックの妥当な粒度を考慮した、副搬送波グループのチャネル品質インジケータを送信する方法を提案することにある。
【課題を解決するための手段】
【００１３】
本目的は、請求項１の教示による方法、請求項７の教示によるユーザ端末、請求項８の教示による基地局、および請求項９の教示によるネットワークにより達成される。
【００１４】
本発明の主な着想は、チャネル品質の次報告のための副搬送波グループのサブグループへの細分化を定義する情報を備えるチャネル品質インジケータを生成し、チャネル品質の次報告中のチャネル品質インジケータ中にサブグループのためのチャネル品質情報を含めることである。
【００１５】
そのような細分化を定義する情報は、例えばチャネル品質の次報告中のサブグループの数であってよく、または情報は少なくとも１つのサブグループのどれがチャネル品質の次報告で細分化されるかを定義する。
【００１６】
本発明の更なる発展形態は、従属請求項および以下の説明から得られる。
【００１７】
以下に本発明を、添付の図面を参照しつつ更に説明する。
【００１８】
本発明を実施しうるネットワークは、ユーザ端末と基地局とを備える。
【図面の簡単な説明】
【００１９】
【図１】本発明が実施可能なネットワークを概略的に示す図である。
【図２】本発明によるチャネル品質インジケータの例示の構造を概略的に示す図である。
【図３】本発明による副搬送波の３つのグループの３回の連続するチャネル品質報告を概略的に示す図である。
【図４】本発明による２つの報告位相のうちの１つにそれぞれ付与された、例示のいくつかのＣＱＩフレームを概略的に示す図である。
【発明を実施するための形態】
【００２０】
図１は、基地局ＢＳ１〜ＢＳ８およびユーザ端末Ｔ１〜Ｔ４を備えるそのようなネットワークＣＮの例を示す。
【００２１】
前記各ユーザ端末Ｔ１〜Ｔ４は、１つまたは複数の前記基地局ＢＳ１〜ＢＳ８に接続されており、これは図１に両方向矢印で示されている。そして基地局ＢＳ１〜ＢＳ８は、コア・ネットワークに接続されており、これは簡略にするために図１には示されていない。
【００２２】
ユーザ端末Ｔ１〜Ｔ４は、ＯＦＤＭ送信を使用するネットワークの送受信用ユーザ端末の機能を備える。
【００２３】
更に、少なくとも１つの副搬送波のサブグループに細分化された少なくとも１つの副搬送波グループを備える直交周波数分割多重システムで使用するための本発明によるユーザ端末Ｔ１〜Ｔ４は、少なくとも１つの処理手段を備え、それによって少なくとも１つの処理手段は、少なくとも１つの副搬送波グループの少なくとも１つをチャネル品質の次報告中でサブグループに細分化することを定義する情報（ＲＩ、ＲＤ）を備える、チャネル品質報告中のチャネル品質インジケータの送信を行うようになされ、またチャネル品質の次報告中のサブグループのチャネル品質情報ＱＩを備える、チャネル品質の次報告中のチャネル品質インジケータの送信を行うようになされている。
【００２４】
基地局ＢＳ１〜ＢＳ８は、ＯＦＤＭ送信を使用するネットワークの基地局の機能を備える。すなわち、これらの基地局は、ユーザ端末がネットワークへ接続されること、およびＯＦＤＭ送信によるユーザ端末のデータ交換を可能にする。
【００２５】
更に、少なくとも１つの副搬送波のサブグループに細分化された少なくとも１つの副搬送波グループを備える直交周波数分割多重システムにおける本発明による基地局ＢＳ１〜ＢＳ８は、少なくとも１つの処理手段を備え、それによって少なくとも１つの処理手段は、少なくとも１つの副搬送波グループの少なくとも１つをチャネル品質の次報告中でサブグループにする細分化を定義する情報（ＲＩ、ＲＤ）を備える、チャネル品質報告中のチャネル品質インジケータの受信を行うようになされ、チャネル品質の次報告中のサブグループのチャネル品質情報ＱＩを備える、チャネル品質の次報告中のチャネル品質インジケータの受信を行うようになされ、またチャネル品質インジケータに基づく無線リソースの分配を行うようになされている。
【００２６】
以下の本発明の好ましい実施形態の説明において、チャネル品質インジケータは、固定の、定義済みの長さを有すると仮定されている。
【００２７】
図２は、好ましい実施形態に使用される、ユーザ端末から基地局に送信されるチャネル品質インジケータの構造を示す。チャネル品質インジケータは、次に説明する３つの部分の基本情報を備える。
【００２８】
第１の情報は微調整情報ＲＩであり、これは帯域幅が等しいサブグループの数を定義し、この帯域幅は現在報告されている周波数帯のうちの専用の半分はチャネル品質の次報告のために細分化されている。現在報告されている専用周波数帯の半分についてのみ、チャネル品質の次報告中の品質情報が報告される。報告されるサブグループの数は、ユーザ端末無線チャネル特性およびセル帯域幅に依存する。この微調整情報ＲＩは、すべてのチャネル品質報告に存在するわけではなく、また最後の報告シーケンスの最後のチャネル品質報告にも存在しない。この最後のチャネル品質報告は、微調整情報ＲＩ内の内容で告知される。値０は、例えばチャネル品質の次報告が、これも２つのサブグループに対する２つの品質測定値を備える同じ構造を含むことを表すために使用されてよいのに対して、値１は、チャネル品質の次報告が、３つのサブグループに対する３つの品質測定値を含み、このシーケンスで最後のものとなることを表す。
【００２９】
第２の情報は品質情報ＱＩであり、これは現在のチャネル品質報告中の各報告されるサブグループのチャネル品質測定値を含む。好ましくは品質情報ＱＩは、例えば四位相偏移変調ＱＰＳＫなどの適用可能な変調方式と均等か、１６ＱＡＭまたは６４ＱＡＭなどの四位相振幅変調ＱＡＭの一種である。この情報は必須で、すべてのチャネル品質報告中に存在する。
【００３０】
第３の情報は微調整指示ＲＤであり、これは基地局に、現在報告されている専用周波数帯のどちらの半分がチャネル品質の次報告で細分化されるかを伝える。この情報は、特に現在のチャネル品質報告中での品質情報値が等しい場合に、周波数帯のどちらの領域が更に細分化されるかを識別するために重要である。この情報はオプションであり、報告シーケンスの最後のチャネル品質報告中では使用されない。
【００３１】
好ましい実施形態によれば、原理的に２つの異なる報告シーケンス、分割位相および更新位相、が存在する。
【００３２】
分割位相内では、チャネル品質報告は、上述のパラメータ（微調整情報、微調整指示および品質情報）によって、１つの位相内のチャネル品質報告の数およびシーケンスの定義を元来含む。
【００３３】
図３は、分割位相内の異なる条件（すなわち異なるチャネル帯域幅および異なるチャネル・プロファイル）下の３つの連続するチャネル品質報告の詳細な例を表で示す。
【００３４】
２つの異なるチャネル・プロファイル型ＡおよびＣ、例えば時速３ｋｍのいわばペディストリアン・チャネル・プロファイルＰｅｄＡ３と時速３０ｋｍのいわばビークル・チャネル・プロファイルＶｅｈＡ３０について、３つの連続するチャネル品質報告がＯＦＤＭシステム中の副搬送波グループにそれぞれ対応する３つの例示的なチャネル帯域幅１．２５ＭＨｚ、２．５ＭＨｚおよび１０ＭＨｚについて提供される。
【００３５】
各事例のそれぞれのチャネル帯域幅についてのリソース・ブロックＲＢの数の最小粒度が、第３列で与えられる。最小粒度は、分割位相の間に、それについてのチャネル品質情報が与えられるサブグループに含まれるリソース・ブロックＲＢの最も少ない数を与える。リソース・ブロックは、ある数の副搬送波を含む。例において、リソース・ブロックは、２５の副搬送波を含む。チャネル帯域幅が増えると、リソース・ブロックＲＢ毎の最適な１つの品質測定値の同じ粒度に達するためにより多くの報告が必要となる。したがって連続するチャネル品質報告の数は、チャネル帯域幅と共に増加する。例において、リソース・ブロックは、５／１２ＭＨｚの帯域幅を有する。
【００３６】
ユーザ端末の移動性が高まったために、チャネル品質の変動性が大きくなり、それによって時間をかけて微調整をする可能性が減り、すなわち、連続するチャネル品質報告の数が制限され、またユーザ端末移動性が高まるにつれて粒度が粗くなる。
【００３７】
各チャネル品質報告は６ビットを備え、そのそれぞれが、品質情報、微調整情報ＲＩまたは微調整指示ＲＤに割り当てられる。
【００３８】
副搬送波のサブグループＸの品質情報は、最上位のビットがＱＸｍで、また最下位
のビットがＱＸ１で表され、すなわちこの例においては２ビットが品質情報を報告するために使用される。
【００３９】
値０の微調整情報ＲＩは、チャネル品質の次報告中で、現在報告されている周波数帯のうちの専用の半分の一方が、帯域幅が等しい２つのサブグループに細分化されることを意味する。値１の微調整情報ＲＩは、チャネル品質の次報告で、現在報告されている周波数帯のうちの専用の半分の一方が、帯域幅が等しい３つのサブグループに細分化されることを意味する。
【００４０】
微調整指示ＲＤは、現在報告されている周波数帯のうちの専用の半分のどちらがチャネル品質の次報告で細分化されるかを示す。この現在報告されている周波数帯のうちの前記専用の半分についてのみチャネル品質の次報告中で、品質情報が報告される。
【００４１】
図３に示される好ましい実施形態によればチャネル品質報告についてのいくつかの一般的な仮定が存在する。
１．２５ＭＨｚのチャネル帯域幅では１つを超えるチャネル品質報告は存在しない。すなわちチャネル品質情報は、３つのリソース・ブロックＲＢのそれぞれについてただ１回だけ送信される。
１．２５ＭＨｚを超えるチャネル帯域幅は、少なくとも１つの微調整ステップを備え、すなわち最小限の報告は、チャネル品質の第１報告中に副搬送波の２つのサブグループについてのチャネル品質情報、およびチャネル品質の第２報告中に副搬送波の３つのサブグループについてのチャネル品質情報となる。
ユーザ端末の移動性が高くなるほど、タイミングの制約が多くなるために、チャネルの移動性がより高い、すなわちチャネル品質の変動性が高い場合は、報告シーケンスは短くなり、例えばチャネル・プロファイル型ＶｅｈＡ１２０のユーザ端末、すなわち速度時速１２０ｋｍ（図３に示さず）は、最多でも２つの連続するチャネル品質の報告のみしか有さない。
【００４２】
チャネル・プロファイルがＰｅｄＡ３でチャネル帯域幅が１．２５ＭＨｚのユーザ端末では、チャネル品質報告は１つのみであり、これはチャネル帯域幅が１．２５ＭＨｚではチャネルの細分化は行われず、６ビットすべてが副搬送波の３つのサブグループのチャネル品質情報送信に使用されるためである。リソース・ブロックの帯域幅は、例では、５／１２ＭＨｚであり、粒度１が達成される。
【００４３】
チャネル・プロファイルＰｅｄＡ３でチャネル帯域幅が２．５ＭＨｚのユーザ端末では、チャネル品質の第１報告では、微調整情報ＲＩが１として送信され、これは次報告では３つのサブグループが報告されることを示す。更に第１報告と２つのサブグループの４ビットのチャネル品質情報には、微調整指示が備わっている。第２報告では、６ビットすべてが副搬送波の３つのサブグループのチャネル品質情報の送信に使用される。これら２つの報告によって、粒度１が達成される。
【００４４】
チャネル・プロファイルがＰｅｄＡ３でチャネル帯域幅が１０ＭＨｚのユーザ端末では、第１および第２のチャネル品質報告では、微調整情報ＲＩが０として送信され、これは次報告では、２つのサブグループが報告されることを示す。更に、第１および第２報告と２つのサブグループの４ビットのチャネル品質情報には、微調整指示が備わっている。第３のチャネル品質報告では、微調整情報ＲＩが１として送信され、次報告では３つのサブグループが報告されることを示す。更に第３報告と２つのサブグループの４ビットのチャネル品質情報には、微調整指示が備わっている。図３に示されていない第４の報告では、６ビットすべてが副搬送波の３つのサブグループのチャネル品質情報の送信に使用される。これら４つの報告によって、粒度１が達成される。
【００４５】
チャネル・プロファイルがＶｅｈＡ３０でチャネル帯域幅が１．２５ＭＨｚのユーザ端末の報告方式は、チャネル・プロファイルがＰｅｄＡ３でチャネル帯域幅が１．２５ＭＨｚのユーザ端末の報告方式に対応する。
【００４６】
チャネル・プロファイルがＶｅｈＡ３０でチャネル帯域幅が２．５ＭＨｚのユーザ端末の報告方式は、チャネル・プロファイルがＰｅｄＡ３でチャネル帯域幅が２．５ＭＨｚのユーザ端末の報告方式に対応する。
【００４７】
しかし、チャネル・プロファイルがＶｅｈＡ３０でチャネル帯域幅が１０ＭＨｚのユーザ端末の報告方式では３つのチャネル品質報告のみが備わり、一方チャネル・プロファイルがＰｅｄＡ３でチャネル帯域幅が１０ＭＨｚのそれぞれのユーザ端末では４つのチャネル品質報告が備わる。この違いの理由は、チャネル・プロファイルＶｅｈＡ３０のユーザ端末移動性はチャネル・プロファイルＰｅｄＡ３のユーザ端末と比べて高いために、より高いチャネル品質の変動性がもたらされ、このために連続するチャネル品質報告は、より少ない数しか許されない。
【００４８】
副搬送波グループの細分化に関する新規情報は何ら必要ではなく、そのためのビットが使用されない更新位相内では、微調整情報ＲＩおよび微調整指示ＲＤはチャネル品質報告毎の追加のチャネル品質情報の送信用に使用されて、分割位相では１つの品質測定値のみで報告された周波数帯内の品質のよりよい粒度が得られる。
【００４９】
図４は、２つの分割位相Ｓ１およびＳ２のそれぞれに更新位相ＵｌおよびＵ２がそれぞれ後続するチャネル品質報告のいくつかのサブフレームを時系列で示す、すなわち報告位相のシーケンスを示す。
【００５０】
各分割位相および更新位相中に、３つのチャネル品質報告が送信され、そして各チャネル品質報告は、６ビットを備える。
【００５１】
各分割位相Ｓ１またはＳ２中で、第１および第２チャネル品質報告は、微調整情報ＲＩ、微調整指示ＲＤおよび副搬送波の２つのサブグループのチャネル品質情報用として４ビットを備える。最後のチャネル品質報告では、６ビットすべてが副搬送波の３つのサブグループのチャネル品質情報用に使用される。
【００５２】
各更新位相では、６ビットすべてが、副搬送波の３つのサブグループのチャネル品質情報用にチャネル品質の３つの報告のそれぞれで使用される。
【００５３】
このようなチャネル品質インジケータの報告方式は、チャネル品質報告を無線チャネル条件が変わらない前に適時に送信するのに充分な安定した無線のチャネル条件を備えるユーザ端末によって使用される。
【００５４】
充分に安定していない無線チャネル条件のユーザ端末では、チャネル品質はより低い粒度でより短い位相によって、例えば図４に示されるような３つではなく位相毎に２つのチャネル品質報告で、または周波数が多岐の方式で報告してよい。
【００５５】
本発明の好ましい実施形態において、１つのサブフレーム中で送信されるチャネル品質報告の数は、それぞれのユーザ端末の無線チャネル条件の変動に依存する。前記無線チャネル条件が充分に安定している場合は、各チャネル品質報告は、個別のサブフレームで送信される。無線チャネル条件がより速度の速い変動を受ける場合は、２つ以上のチャネル品質報告を単一のサブフレームで送信してよく、より少ない数のサブフレームが、分割位相または更新位相で送信され、分割位相または更新位相に必要な時間が短縮されるようにする。言いかえると、サブフレーム毎のチャネル品質報告の数、したがって分割位相または更新位相毎のサブフレームの数は、好ましくは無線チャネル条件が分割位相または更新位相の間に著しく変化しないように選択される。
【図１】
2009539288.tif 000003
【図２】
2009539288.tif 000004
【図３】
2009539288.tif 000005
【図４】
2009539288.tif 000006
【国際調査報告】
2009539288.tif 000007
2009539288.tif 000008
2009539288.tif 000009